【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
ブランドに基づいてネットワークを介してサーチを行うシステムにおいて、
個々のブランドホルダにより所有され若しくは制御される複数のブランド及び個々のブランドに関するブランド入札者情報を含むブランド名データベースであって、該ブランド入札者情報が、ブランドホルダのブランドに入札することをブランドホルダにより是認されたブランド入札者に関する是認されたブランド入札者情報を含む、ブランド名データベースと、
自分たちのブランド入札者情報を、ブランドを含むブランドサーチリクエストに対する支払いサーチ結果内に含ませる入札を有するブランド入札者のブランド入札者情報を識別するために、上記ブランド名データベースにアクセスして、ネットワークを介して上記ブランド名データベースと通信するサーチエンジンであって、自分たちのブランド入札者情報を支払いサーチ結果内に含ませたブランド入札者により入札された量に少なくとも基づいて、支払いサーチ結果情報内に含まれたブランド入札者情報を優先する、サーチエンジンと、
ブランド入札者が是認されたブランド入札者となるならば、上記ブランド名データベース内の個々のブランドに入札するブランド入札者に対する経済的インセンティブ支払いを処理するためのクリアリングハウスと
を含むシステム。
【請求項２】
ａ）個々のブランドを含むブランドサーチリクエストに対する支払いサーチ結果がブランド入札者情報を含むように、ブランド入札者情報を、ブランド名データベース内の個々のブランドと関連付けるブランド入札者リクエストをブランド入札者から受ける通信インターフェースであって、該ブランド入札者リクエストは、ブランド入札者情報を支払いサーチ結果に含ませる、支払い申し出入札を含む、通信インターフェースと、
ｂ）ネットワークを介して、計算器デバイスから、ブランドを含むブランドサーチ情報を受ける通信インターフェースと、
ｃ）計算器デバイスからのブランドサーチ結果に応答して支払いサーチ情報を与える通信インターフェースであって、該支払いサーチ結果は、ブランドサーチ結果内に含まれるブランドに入札するブランド入札者のブランド入札者情報を含み、支払いサーチ結果内に含まれるブランド入札者情報は、ブランド入札者により付けられた入札の量に少なくとも基づいて、優先付けされる、通信インターフェースと、
を、更に含み、
クリアリングハウスは、是認されたブランド入札者に与えられるインセンティブを決定するルールを適用し、該インセンティブは個々のブランドに関連する是認されたブランド入札者のレベルに少なくとも基づくものであり、是認されたブランド入札者情報は個々のブランドを含むブランドサーチリクエストに対する支払いサーチ結果内に含まれる、
請求項１に記載のシステム。
【請求項３】
上記クリアリングハウスは、是認されたブランド入札者のウエブサイトに対してユーザによりクリックスルーされることに少なくとも基づいて、上記インセンティブを決定するのであるが、該ユーザのサーチリクエストは、是認されたブランド入札者情報が該ユーザに与えられたサーチ結果内に含まれるものである
請求項１又は２に記載のシステム。
【請求項４】
上記クリアリングハウスは、是認されたブランド入札者によるブランド入札者の製品の販売の量に少なくとも基づいて、上記インセンティブを決定する
請求項１又は２に記載のシステム。
【請求項５】
ネットワークにより相互に接続される、ローカル計算器デバイス、一つ若しくは複数のリモート計算器デバイス、ブランド名データベース、サーチエンジン、及びクリアリングハウスを含むシステムにおいて、
上記ローカル計算器デバイスは、
上記ブランド名データベースと通信するインターフェースであって、上記ブランド名データベースが個々のブランドに関する複数のブランド及びブランド入札者を含む、インターフェースと、
ネットワークを介して一つ若しくは複数のリモート計算器デバイスと通信し、ブランドを含む一つ若しくは複数のリモート計算器デバイスのユーザからサーチリクエストを受けるための通信インターフェースと、
一つ若しくは複数のリモート計算器デバイスのユーザから受けたサーチリクエストからブランドを抽出するためのプロセッサであって、上記ブランド名データベースと通信して個々のブランドと関連するブランド入札者情報を受けるプロセッサと
を含み、
上記通信インターフェースは、上記ブランド入札者情報を一つ若しくは複数のリモート計算器デバイスのユーザに与え、
上記プロセッサは、上記サーチリクエスト内に含まれるブランドに基づいて、上記ブランドホルダ及び上記ブランド入札者への一つ若しくは複数のインセンティブ支払いを決定する
ことを特徴とするシステム。
【請求項６】
ブランドを利用してオンラインサーチを行うためのシステムにおいて、
個々のブランドホルダにより所有され若しくは制御される複数のブランド、及びブランドホルダによりブランドホルダのブランドに入札することを是認されたブランド入札者のブランド入札者情報を含むブランド名データベースと、
ビジネスルールを含み、該ビジネスルールに基づいて、ブランドホルダをブランドホルダにより所有され若しくは制御される個々のブランドと関連付け、是認されたブランド入札者を個々のブランドと関連付けるデータベースマネジャであって、上記ブランド名データベース内のブランドと関連付けるブランドホルダリクエストをブランドホルダから受け、上記ビジネスルールを上記ブランドホルダリクエストに適用してブランドとの上記ブランドホルダの関連のレベルを判定し、上記ブランドホルダに、関連する是認されたブランド入札者情報へのインプットにブランドを与えることを許すように構成されたデータベースマネジャと、
ネットワークを介してブランドを含むブランドサーチリクエストを受け、ネットワークを介してブランドサーチリクエストに対して支払いサーチ結果を与える、上記ブランド名データベースと通信するサーチエンジンであって、支払いサーチ結果は、自分たちのブランド入札者情報をサーチ結果に含ませる入札を有する是認されたブランド入札者のブランド入札者情報を含み、該サーチエンジンは、ブランドホルダからのインプットに少なくとも基づいてサーチ結果内に含まれるブランド入札者情報を優先する、サーチエンジンと
を含むシステム。
【請求項７】
個々のブランドホルダと関連付けされる複数のブランド、及び個々のブランドと関連するブランド入札者情報を含むブランド名データベースと、ネットワークを介してブランドサーチリクエストを受けて応答するためのブランド名データベースと通信するサーチエンジンとを、確立する方法において、
上記ブランド名データベース内でブランドと関連付けるブランドホルダリクエストをブランドホルダから受けるステップと、
上記ブランドとの上記ブランドホルダの関連のレベルを決定するために、上記ブランド名データベースのビジネスルールを上記ブランドホルダリクエストに適用するステップと、
上記ブランドホルダに、関連するブランド入札者情報へのインプットにブランドを与えることを許すステップと
を含む方法。
【請求項８】
ブランドを含むサーチリクエストを処理した後に、経済的インセンティブ支払いを上記ブランドホルダに与えるステップを、更に含む
ことを特徴とする請求項７に記載の方法。
【請求項９】
上記経済的支払いは、ブランドサーチが上記サーチエンジンに受けられたときの上記ブランドホルダと関連するブランドを含むサーチタームから引き出される所得に、少なくとも部分的に基づいている
ことを特徴とする請求項８に記載の方法。
【請求項１０】
ブランドを含むサーチリクエストに対する応答を示すと一人若しくは複数のブランド入札者のランク付けに影響を与える一人若しくは複数のブランド入札者を、ブランドホルダが識別することを許すことを、上記インプットが含む
ことを特徴とする請求項７に記載の方法。
【請求項１１】
ブランドホルダが一人若しくは複数のブランド入札者を識別し一人若しくは複数のブランド入札者に対して経済的インセンティブ支払いを与えることを許すことを、上記インプットが含む
ことを特徴とする請求項７に記載の方法。
【請求項１２】
個々のブランドホルダと関連付けされる複数のブランド、及び個々のブランドと関連するブランド入札者情報を含むブランド名データベースと、ネットワークを介してブランドサーチリクエストを受けて応答するためのブランド名データベースと通信するサーチエンジンとを、確立する方法において、
ブランド入札者のためにブランド入札者情報を上記ブランド名データベース内でブランドと関連付けさせるブランド入札者リクエストを受けるステップと、
上記ブランド入札者の関連のレベルを決定するために、上記ブランド名データベースのビジネスルールを上記ブランド入札者リクエストに適用するステップと、
ブランドサーチリクエストが上記サーチエンジンで受けられると、ブランド入札者と関連付けされるブランドを含む一つ若しくは複数のサーチタームに由来する所得の結果として、ブランド入札者に対して経済的インセンティブ支払いを与えるステップと
を含む方法。
【請求項１３】
更に、
ブランドをブランド名データベース内に含めるリクエストをブランドホルダから受けるステップと、
ブランドホルダの権限をブランドと関連付けることを決定することに基づいて、ブランドをブランド名データベースに付加するステップと、
ブランドホルダのブランドを含むサーチリクエストがサーチエンジンに受けられると、経済的インセンティブ支払いをブランドホルダに与えるステップと
を含むことを特徴とする請求項１２に記載の方法。
【請求項１４】
上記ブランド入札者リクエストに上記ビジネスルールを適用するステップが、ブランドホルダからのインプットをブランドと関連付けることを考慮した後に、ブランド入札者のためにブランド入札者情報をブランドと関連付けることを含む
ことを特徴とする請求項１２に記載の方法。
【請求項１５】
ブランド入札者が、ブランドホルダの製品の、是認されたディーラ、代表者、エージェント、及びサービスプロバイダのうちの少なくとも一つであることを、ブランドホルダが確認すると、ビジネスルールによりブランド入札者情報がブランドと関連付けされる
ことを特徴とする請求項１４に記載の方法。
【請求項１６】
個々のブランドと関連付けされる複数のブランドとブランド入札者情報を含むブランド名データベースと、ネットワークを介してブランド名データベースと通信するサーチエンジンとを用いて、オンラインサーチを実施する方法において、
ユーザからネットワークを介してブランドを含むサーチ問い合わせを受けるステップと、
ブランド、及びブランドに関連するブランドホルダ情報及びブランド入札者情報のうちの少なくとも一つを求めて、ブランド名データベースをサーチするステップと、
上記ブランドに関連するブランドホルダ及び一人若しくは複数のブランド入札者のうちの少なくとも一人と関連するブランドホルダ情報とブランド入札者情報のうちの少なくとも一つを含む、サーチ結果を、ネットワークを介してユーザに送るステップと、
上記サーチ問い合わせに基づいて、ブランドと関連するブランドホルダの少なくとも一人と、ブランドと関連する一人若しくは複数のブランド入札者の少なくとも一人に、経済的インセンティブ支払いを与えるステップと
を含む方法。
【請求項１７】
上記経済的インセンティブ支払いが、ブランド名データベース内でブランドホルダ及びブランド入札者のためにブランドと関連付けるように経済的インセンティブ支払いを処理する権限のあるクリアリングハウスにより処理される
ことを特徴とする請求項８、１２、１６のうちのいずれか一に記載の方法。
【請求項１８】
ブランドホルダ及びブランド入札者に関連するブランドを含むサーチエンジンにより処理される多数のサーチ問い合わせに基づいて、クリアリングハウスがブランドホルダ及びブランド入札者に定期的にのみ経済的インセンティブ支払いを提出する
ことを特徴とする請求項１７に記載の方法。
【請求項１９】
クリアリングハウスがネットワークを介してリアルタイムでブランド入札者及びブランド入札者によりアクセスされる
ことを特徴とする請求項１７に記載の方法。
【請求項２０】
個々のブランドと関連付けされる複数のブランドとブランド入札者情報を含むブランド名データベースと、ネットワークを介してブランド名データベースと通信するサーチエンジンとを用いて、オンラインサーチを実施する方法において、
ユーザからネットワークを介してブランド及び少なくとも一つのクオリファイアを含むサーチ問い合わせを受けるステップと、
ブランド、並びにブランド及びクオリファイアに関連する情報を求めて、ブランド名データベースをサーチするステップと、
上記ブランド及び上記クオリファイアに関連する情報を含む、サーチ結果を、ネットワークを介してユーザに送るステップと
を含む方法。
【請求項２１】
夫々のブランドに関連するブランドホルダ及び情報からのインプットに少なくとも部分的に基づいて、ビジネスルール及び情報を含むブランド名データベースにアクセスするインターネットサーチエンジンからインターネットサーチ結果を与える方法において、
インターネットユーザからサーチリクエストを受けるステップと、
情報を含むブランド名データベースとサーチリクエストを関連付けるステップと、
情報からサーチ結果を決定するために、ビジネスルールをサーチリクエストに適用するステップと、
サーチ結果をインターネットユーザに与えるステップと
を含む方法。
【請求項２２】
ブランドホルダのブランドに基づきブランド名データベースから導出される所得に基づいて、ブランドホルダに経済的インセンティブ支払いを与えることにより、支払いされた若しくは入札されたブランド名データベースにアクセスするインターネットサーチエンジンからのインターネットサーチ結果を配布することに関連して、インプットを与えるブランドホルダに補償する方法において、
インターネットユーザからのブランドを含むサーチリクエストを受けるステップと、
サーチリクエストをブランド名データベースと関連付けるステップと、
サーチリクエストのためのサーチ結果を決定するためにビジネスルールを適用するステップと、
サーチ結果をインターネットユーザに与えるステップと、
サーチリクエストから導出される所得の一部を、経済的インセンティブ支払いとしてブランドに関連するブランドホルダの計上に加えるために、サーチ結果を追跡するステップと、
を含む
ことを特徴とする方法。
【請求項２３】
ブランド入札者により入札される若しくは支払われる量に少なくとも部分的に基づいて、ブランドホルダからの経済的インセンティブ支払いをブランド入札者に与えることによって、インターネットサーチエンジンに関連して、支払いされた若しくは入札されたブランド名データベースを利用してブランドに入札者に、ブランドホルダが補償する方法において、
インターネットユーザからブランドを含むサーチリクエストを受けるステップと、
サーチリクエストをブランド名データベースと関連付けるステップと、
サーチ結果を決定するためにビジネスルールを適用するステップと、
サーチ結果をインターネットユーザに与えるステップと、
ブランド入札により支払われサーチ結果と関連する量を追跡して計上し、その量をブランドホルダに報告するステップと
を含む方法。
【請求項２４】
更に、
ブランドホルダからの経済的インセンティブ支払いをブランド入札者に与えるステップを
含むことを特徴とする請求項２３に記載の方法。
【請求項２５】
ブランド入札者への経済的インセンティブ支払いが、ブランドホルダにより排他的に構成される、入札されたサーチタームに少なくとも部分的に基づく
ことを特徴とする請求項２４に記載の方法。
【請求項２６】
ブランド入札者への経済的インセンティブ支払いが、ブランド及び一つ若しくは複数の他のタームを含む、入札されたサーチタームに少なくとも部分的に基づく
ことを特徴とする請求項２４に記載の方法。
【請求項２７】
ブランドホルダからブランド入札者への経済的インセンティブ支払いを生じさせるサーチリクエストは、サーチエンジンからブランドホルダへの経済的インセンティブ支払いにもなる
ことを特徴とする請求項２４に記載の方法。